(57)【特許請求の範囲】
【請求項１】
赤外線を発光する赤外線発光部と、
前記赤外線発光部からの赤外線を受光する赤外線受光部と、
浴室に吹出す風の風路を塞ぐ閉状態と前記風路を開く開状態とをとるとともに設置時における上下方向の風向を可変する風向ルーバーと、
前記風向ルーバーに設けられ前記閉状態時に前記赤外線受光部における赤外線の受光を遮断する遮断突起と、
前記赤外線受光部からの信号に基づいて前記風向ルーバーの開状態および／または閉状態を判断する判断手段とを備え、
前記風向ルーバーは、前記吹出し方向にそって設けられ前記吹出し方向における吹出し方向先端部で左右方向に所定の幅を有する板状であり、前記遮断突起は、前記左右方向における中央であって吹出し方向先端部に備えられ、前記左右方向の風向を整流する複数の風向整流板を備え、前記風向整流板の１つは、前記遮断突起を兼ねる浴室暖房乾燥機。
【請求項２】
前記閉状態時に前記風向ルーバーによって覆い隠される位置にミストを噴霧する噴霧手段を備え、前記噴霧手段は、前記閉状態時にはミスト噴霧を停止する請求項１に記載の浴室暖房乾燥機。
【発明の詳細な説明】
【技術分野】
【０００１】
本発明は、浴室暖房乾燥機に関するものである。
【背景技術】
【０００２】
例えば、従来の浴室暖房乾燥機の構成は、次のような構成となっていた。
【０００３】
すなわち、風向ルーバーに設けた磁石取付部に磁石を取り付け、本体ケースの吹出口近傍に磁気を検知するホール素子を設けて、風向ルーバーの開度を検知する構成となっていた。（例えば特許文献１参照）
【先行技術文献】
【特許文献】
【０００４】
【特許文献１】特開２０１５−４０６５１号公報
【発明の概要】
【発明が解決しようとする課題】
【０００５】
上記従来例では、風向ルーバー上に磁石取付部を取り付ける必要がある。しかしながら、浴室は湿度が高く、機種によっては浴室暖房乾燥機自体がミストを噴霧する場合もある。よって、磁石取付部近傍に水が溜まり、この水が送風によって滴下し、利用者に不快感を与える可能性があるという課題があった。
【０００６】
また、磁石取付部と磁石との間に隙間が発生するために、隙間に水分や埃等のごみが残留し、カビや雑菌が繁殖する可能性があるという課題があった。
【０００７】
そこで本発明は、風向ルーバーの開閉状態の検出において、磁石取付部に伴う課題を解決した浴室暖房乾燥機を提供することを目的とするものである。
【課題を解決するための手段】
【０００８】
そしてこの目的を達成するために本発明は、赤外線を発光する赤外線発光部と、前記赤外線発光部からの赤外線を受光する赤外線受光部と、浴室に吹出す風の風路を塞ぐ閉状態と前記風路を開く開状態とをとるとともに設置時における上下方向の風向を可変する風向ルーバーと、前記風向ルーバーに設けられ前記閉状態時に前記赤外線受光部における赤外線の受光を遮断する遮断突起と、前記赤外線受光部からの信号に基づいて前記風向ルーバーの開状態および／または閉状態を判断する判断手段とを備え、風向ルーバーは、吹出し
方向にそって設けられ吹出し方向における吹出し方向先端部で左右方向に所定の幅を有する板状であり、遮断突起は、左右方向における中央であって吹出し方向先端部に備えられ、左右方向の風向を整流する複数の風向整流板を備え、風向整流板の１つは、遮断突起を兼ねたものであり、これにより所期の目的を達成するものである。
【発明の効果】
【０００９】
本発明は、風向ルーバーの開閉状態の検出において、磁石取付部に伴う課題を解決した浴室暖房乾燥機を提供することができる。
【図面の簡単な説明】
【００１０】
【図１】本発明の実施の形態１に係る浴室暖房乾燥機を浴槽に設置した際の斜視図
【図２】本発明の実施の形態１に係る浴室暖房乾燥機の本体の垂直断面の構成図
【図３】本発明の実施の形態１に係る浴室暖房乾燥機の風向ルーバーの構成を示す構成図
【図４】本発明の実施の形態１に係る浴室暖房乾燥機の本体の構成を示す構成図
【図５】本発明の実施の形態１に係る風向ルーバー開閉検知制御を示すフローチャート
【発明を実施するための形態】
【００１１】
本発明に係る浴室暖房乾燥機は、赤外線を発光する赤外線発光部と、前記赤外線発光部からの赤外線を受光する赤外線受光部と、浴室に吹出す風の風路を塞ぐ閉状態と前記風路を開く開状態とをとるとともに設置時における上下方向の風向を可変する風向ルーバーと、前記風向ルーバーに設けられ前記閉状態時に前記赤外線受光部における赤外線の受光を遮断する遮断突起と、前記赤外線受光部からの信号に基づいて前記風向ルーバーの開状態および／または閉状態を判断する判断手段とを備えたものである。
【００１２】
遮断突起は例えば風向ルーバーの形状形成において小型で一体的に構成することができるため、水が溜まることを抑制し、送風による滴下を防止することができる。また、構成上、隙間が生じないため、隙間に水分や埃等のごみが残留し、カビや雑菌が繁殖することはない。また、磁石の取り付け時の極性間違いや、取り付け忘れによる、風向ルーバーの開度の不検知も防止できる。
【００１３】
ここで、前記風向ルーバーは、前記吹出し方向にそって設けられ前記吹出し方向における吹出し方向先端部で左右方向に所定の幅を有する板状であり、前記遮断突起は、前記左右方向における中央であって吹出し方向先端部に備えられた構成としても良い。
【００１４】
左右方向の中央に設けることにより、水滴が発生した場合であっても、風向ルーバーの側方からの滴下を防止することができる。また吹出し方向先端部に備えることにより、水滴が発生した場合であっても吹出し風によって水滴サイズが微小であるうちに先端部より飛散させることができ、滴下による不快感を抑制できる。
【００１５】
なお、前記風向ルーバーは、前記左右方向の風向を整流する複数の風向整流板を備え、前記風向整流板の１つは、前記遮断突起を兼ねる構成としても良い。
【００１６】
これにより、遮断突起が風向整流板を兼ねることができるため、整流作用を得る構成を採用する場合には、風向ルーバーの開閉を検知するためだけに遮断突起を設ける必要が無い。
【００１７】
また、前記閉状態時に前記風向ルーバーによって覆い隠される位置にミストを噴霧する噴霧手段を備え、前記噴霧手段は、前記閉状態時にはミスト噴霧を停止する構成にしてもよい。
【００１８】
これにより、風向ルーバーが閉状態でミストが噴霧されて高温状態で水滴化し、滴下することで発生する、やけど等の事故を防止できる。
【００１９】
以下、本発明の実施の形態について、図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。
【００２０】
（実施の形態１）
図１は、本発明の実施の形態に係る浴室暖房乾燥機を浴槽に設置した際の一例を示す斜視図である。
【００２１】
図１に示すように、浴室の浴槽上部の天井面１には、浴室暖房乾燥機２の外郭を構成する本体ケース３が取り付けられている。また、浴室の外側である例えば脱衣所には、リモートコントローラー４が取り付けられている。
【００２２】
このリモートコントローラー４と浴室暖房乾燥機２は、浴室壁面内にて通信ケーブル５で接続される。
【００２３】
次に、浴室暖房乾燥機２の構成を、図２を用いて説明する。
【００２４】
図２に示すように、浴室暖房乾燥機２を構成する本体ケース３は、吸込口６と、吹出口７と、循環風路８と、熱交換器９と、循環用ファンモーター１０とを備える。
【００２５】
吸込口６は、浴室暖房乾燥機２の設置時に下面方向にある浴室内に向けた、下面視にして矩形の開口として設けられる。
【００２６】
吹出口７は、吸込口６と同様、浴室暖房乾燥機２の設置時に下面方向にある浴室内に向けた、下面視にして矩形の開口として設けられる。
【００２７】
循環風路８は、吸込口６と吹出口７とを連通する風路として設けられている。
【００２８】
熱交換器９は、吸込口６から吸い込まれた空気を加熱するための加熱手段として循環風路８内に設けられている。
【００２９】
循環用ファンモーター１０は、回転駆動するモーターの回転軸にシロッコファンを接続して構成される。循環用ファンモーター１０は、駆動により、吸込口６から本体ケース３内に空気を吸い込むと同時に吸い込んだ空気を吹出口７から吹き出す循環気流を生成する。つまり、循環気流は浴室から本体ケース３の内部を介して再び浴室に戻される気流である。
【００３０】
さらに、本体ケース３の吹出口７近傍には、ステッピングモーター１１と、風向ルーバー１２と、電磁弁１３と、赤外線発光部１４と、赤外線受光部１５が設けられている。また本体ケース３内の循環風の妨げにならない位置であって、熱交換器９の影響を受けにくい位置に本体制御手段１６が備えられている。
【００３１】
ステッピングモーター１１は、本体ケース３の底面近傍に固定され、本体制御手段１６からの信号に基づいて任意の角度だけ回転駆動する。
【００３２】
風向ルーバー１２は、プラスチックによって形成された板状であり、ステッピングモーター１１に接続されている。つまり、風向ルーバー１２は、ステッピングモーター１１の回転駆動に連動して所定の角度の範囲で回動する。また、風向ルーバー１２には遮断突起１７が設けられているが詳細は後述する。
【００３３】
電磁弁１３は、ミストを噴霧する噴霧手段を構成し、吹出口７の近傍であって、風向ルーバー１２が吹出口７を塞ぐ状態、すなわち閉状態時に、風向ルーバー１２によって覆い隠される位置に配置される。本体制御手段１６が電磁弁１３を制御することで噴霧口を開口させ、すなわち噴霧手段からミストを噴霧することが可能となる。
【００３４】
赤外線発光部１４は、本体制御手段１６の信号に基づいて、または常時、赤外線を発光する。
【００３５】
赤外線受光部１５は、例えば赤外線発光部１４に対向する位置に、赤外線発光部１４が発する赤外線を受光可能に配置されており、赤外線の受光状態を本体制御手段１６に送信する。
【００３６】
以上が浴室暖房乾燥機２の概略構成である。
【００３７】
続いて、風向ルーバー１２の詳細構成について、図３を加えて説明する。
【００３８】
風向ルーバー１２は、図３に示すように、前後方向（図３の手前から奥方向）および左右方向（図３の左右方向）に所定の幅を有する略矩形の板状をしており、長手方向の一端（図３における左側）であって短手方向における端部（図面上の奥側）にステッピングモーター１１が接続されている。つまり、風向ルーバー１２は、一方の長辺（図面上の奥側）を中心軸として他方の長辺（図面上の手前側）を上下方向に回動可能となっている。ステッピングモーター１１は、本体ケース３の底面近傍に設けられているため、風向ルーバー１２は、中心軸を起点として回動することにより、本体ケース３の下面に設けられた吹出口７を開いた状態、すなわち開状態にし、又は閉じた状態、すなわち閉状態とすることができる。風向ルーバー１２は、開状態においては、本体ケース３内から吹出口７を介して吹き出す循環気流の上下の吹出し方向を規制するルーバーとして機能する。また閉状態においては、本体ケース３内から吹出口７を介して吹き出す循環気流を遮るカバーとして機能する。
【００３９】
風向ルーバー１２は、さらに吹出し方向における中央の先端部（図３の手前）に、整流により左右方向の風向を調節する風向整流板を兼ねる遮断突起１７が配置されている。
【００４０】
遮断突起１７は、吹出された気流に対して抵抗にならないよう、板状かつ吹出し方向に対して板面が平行に設けられている。また、遮断突起１７は、風向整流板を兼ねるために、風向ルーバー１２の本体ケース３に対向する上面側に設けられている。遮断突起１７は、閉状態において、本体ケース３に備えられた赤外線発光部１４と赤外線受光部１５との間に突起が挿入される位置に配置され、すなわち閉状態においては赤外線発光部１４から赤外線受光部１５に向かう赤外線を遮断する構成となっている。
【００４１】
また、遮断突起１７の左右には、風向ルーバー１２中央部より左右方向に吹出し風が拡散するように、先端部方向にかけて左右端部方向に湾曲する風向整流板１８ａ、１８ｂ、１８ｃ、１８ｄ、１８ｅ、１８ｆが配置されている。なお、風向ルーバー１２の各部の機能についての詳細は後述する。
【００４２】
次に、本体制御手段１６の構成を、図４を用いて説明する。
【００４３】
図４に示すように、本体制御手段１６は、本体制御マイコン１９と、循環用ファンモーター駆動部２０と、熱交換器駆動部２１と、噴霧手段駆動部２２と、赤外線発光駆動部２３と、赤外線受光信号入力部２４と、風向ルーバー駆動部２５と、通信部２６を備えている。また、リモートコントローラー４は、リモコン制御手段２７を備えている。
【００４４】
循環用ファンモーター駆動部２０は、本体制御マイコン１９と接続され、本体制御マイコン１９からの信号に基づいて循環用ファンモーター１０の駆動制御を行う。ここでいう駆動制御とは、電源のＯＮ・ＯＦＦやファンの回転速度の設定・制御などが含まれる。
熱交換器駆動部２１は、本体制御マイコン１９と接続され、本体制御マイコン１９からの信号に基づいて熱交換器９の駆動制御を行う。ここでいう駆動制御とは、電源のＯＮ・ＯＦＦやヒータの温度制御などが含まれる。
【００４５】
噴霧手段駆動部２２は、電磁弁１３と共にミストを噴霧する噴霧手段を構成し、本体制御マイコン１９と接続され、本体制御マイコン１９からの信号に基づいて電磁弁１３の開閉や開閉の割合を制御する。
【００４６】
赤外線発光駆動部２３は、本体制御マイコン１９と接続され、本体制御マイコン１９からの信号に基づいて赤外線発光部１４の発光制御を行う。ここでいう発光制御とは、発光のＯＮ・ＯＦＦが含まれる。ただし、赤外線発光駆動部２３は、本体制御マイコン１９の制御によらずに、通電時には常時発光するようにしてもよい。
【００４７】
赤外線受光信号入力部２４は、赤外線受光部１５からの信号が入力される。つまり赤外線発光部１４からの赤外線を受光した場合には、赤外線受光信号入力部２４にその旨が通知され、本体制御マイコン１９に送信される。
【００４８】
風向ルーバー駆動部２５は、本体制御マイコン１９と接続され、本体制御マイコン１９からの信号に基づいてステッピングモーター１１の回転駆動を行う。当該回転駆動の角度は、本体制御マイコン１９からの信号に基づいて所定の範囲で自由に決定することができ、すなわち風向ルーバー１２のスイング動作や停止動作が可能である。
【００４９】
通信部２６は、リモコン制御手段２７との通信を制御し、リモコン制御手段２７からの信号を本体制御マイコン１９に通知する。
【００５０】
本体制御マイコン１９は、リモートコントローラー４のリモコン制御手段２７から通信ケーブル５、通信部２６を介して送信される情報に基づいて、循環用ファンモーター１０の駆動制御、熱交換器９の加熱制御、電磁弁１３の噴霧制御、風向ルーバー１２の開閉制御、赤外線発光部１４の赤外線発光制御などを行う。
【００５１】
以上が浴室暖房乾燥機２の構成全体構成である。
【００５２】
次に、図５を参照しながら、浴室暖房乾燥機２の動作を説明する。
【００５３】
浴室暖房乾燥機２に通電か開始されると、本体制御マイコン１９が動作を開始する（Ｓ１）。
【００５４】
リモコン制御手段２７から、本体制御手段１６に浴室暖房乾燥機２のミストを噴霧する運転指令が送信されると（Ｓ２）、本体制御マイコン１９から赤外線発光駆動部２３に赤外線発光信号が送信され、赤外線発光部１４が赤外線を発光する（Ｓ３）。
【００５５】
そして、赤外線受光部１５で赤外線（以下、ＩＲと称す）の有無の検出を行う（Ｓ４）。
【００５６】
検出されたＩＲの情報は、赤外線受光信号入力部２４を介して本体制御マイコン１９へ送信され、本体制御マイコン１９にてＩＲの有無の判定を行う（Ｓ５）。
【００５７】
ここで、ＩＲが検出されない場合、風向ルーバー１２は閉状態であると認識できる。そして、本体制御マイコン１９は、風向ルーバー駆動部２５によりステッピングモーター１１を駆動し、風向ルーバー１２を指定の開度まで開く動作を行う（Ｓ６）。
【００５８】
そして、ＩＲが検出できることを確認できると（Ｓ７）、本体制御マイコン１９は、循環用ファンモーター駆動部２０、熱交換器駆動部２１、噴霧手段駆動部２２に駆動指令を送信する。これにより、循環用ファンモーター１０、熱交換器９、電磁弁１３が駆動され（Ｓ８）、リモコン制御手段２７からの浴室暖房乾燥機２の停止指令が送信されるまで運転を行う（Ｓ１０Ｙｅｓ）。停止指令が送信されると、本体制御マイコン１９は、循環用ファンモーター駆動部２０、熱交換器駆動部２１、噴霧手段駆動部２２に駆動停止指令を送信し、循環用ファンモーター１０、熱交換器９、電磁弁１３が駆動停止され、浴室暖房乾燥機２は停止することになる（Ｓ１８）。
【００５９】
ところで、運転継続中に風向ルーバー１２が本体制御マイコン１９の指令に関係なく閉状態になることが考えられる。例えば、使用者が、手動で閉状態とする等である。このような場合には、ヒータで熱されたミストが閉状態である風向ルーバー１２の上面に溜まり、風向ルーバー１２と本体ケース３との隙間から滴下する可能性がある。このような場合には、使用者に熱された水滴が接触し、最悪の場合には火傷に至る可能性も有り得る。
このような場合を想定し、運転継続中は開状態であっても本体制御マイコン１９は、Ｓ３、Ｓ４、Ｓ５と同様に常時ＩＲの検出を行い（Ｓ１１、Ｓ１２、Ｓ１３）、ＩＲが検出できなくなると予期しない状態、すなわち異常状態とし外部へ異常発報する（Ｓ１７）。また、ＩＲが検出できなくなることは、故障の場合と閉状態となった場合とがある。そして閉状態の可能性がある場合には本体制御マイコン１９は、即座にミストの噴霧とヒータを停止させる。つまり、異常発報と同時に、浴室暖房乾燥機２は停止することになる（Ｓ１８）。異常発報は、例えばリモートコントローラー４に表示で行われる。
【００６０】
また、運転指令時のＩＲの検知（Ｓ５）により、ＩＲを検知した場合は、風向ルーバー１２の開閉が正常であることを確認する。つまり、本体制御マイコン１９は、風向ルーバー駆動部２５によりステッピングモーター１１を駆動し、風向ルーバー１２を全開開度以上のステップ数にて閉動作を行い、全閉状態とする（Ｓ１９）。
【００６１】
そして、赤外線発光部１４でＩＲを発光し（Ｓ２０）、赤外線受光部１５でＩＲの検出を行う（Ｓ２１）。
【００６２】
検出されたＩＲの情報は、赤外線受光信号入力部２４を介して本体制御マイコン１９へ送信され、本体制御マイコン１９は、ＩＲの有無の判定を行う（Ｓ２２）。
【００６３】
ＩＲが検出されない場合、風向ルーバー１２は閉状態であり、正常に動作していると判断し、本体制御マイコン１９は、風向ルーバー駆動部２５によりステッピングモーター１１を駆動し、風向ルーバー１２を指定の開度まで動作を行う（Ｓ６）。
【００６４】
また、ＩＲが検出された場合、風向ルーバー１２の動作異常とし、外部へ異常発報する（Ｓ１７）。そして浴室暖房乾燥機２は停止することになる（Ｓ１８）。
【００６５】
このように、本実施の形態の浴室暖房乾燥機は、風向制御板を兼ねた遮断突起によって、風向ルーバーの開閉状態を判断するものである。
【００６６】
つまり、遮断突起は例えば風向ルーバーの形状形成において小型で一体的に構成することができるため、水が溜まることを抑制し、送風による滴下を防止することができる。また、構成上、隙間が生じないため、隙間に水分や埃等のごみが残留し、カビや雑菌が繁殖することはない。また、磁石の取り付け時の極性間違いや、取り付け忘れによる、風向ルーバーの開度の不検知も防止できる。
【００６７】
また、遮断突起を左右方向の中央に設けることにより、水滴が発生した場合であっても、風向ルーバーの側方からの滴下を防止することができる。
【００６８】
また吹出し方向先端部に備えることにより、運転中に水滴が発生した場合であっても吹出し風によって水滴サイズが微小であるうちに先端部より飛散させることができ、滴下による不快感を抑制できる。
【００６９】
また、遮断突起が風向整流板を兼ねることができるため、磁石取付部が不要となり、さらに整流作用を得る構成を採用する場合には、風向ルーバーの開閉を検知するためだけに遮断突起を設ける必要が無い。
【００７０】
また、赤外線の有無判定のみでなく、判定の確認処理を行っているため、風向ルーバーが閉状態でミストが噴霧されて高温状態で水滴化し、滴下することで発生する、やけど等の事故を防止できる。
【００７１】
以上、本実施の形態１では、浴室暖房乾燥機２とリモートコントローラー４は、通信ケーブル５により接続される構成としたが、浴室暖房乾燥機２とリモートコントローラー４が通信できればよく、
通信ケーブルを用いない電波や赤外線を利用した無線通信でもよい。
【００７２】
また、異常発報はリモートコントローラー４に表示としたが、音声を利用して発報してもよい。
【００７３】
また、遮断突起１７により、風向ルーバー１２が閉の状態で赤外線発光部１４が発光する赤外線を赤外線受光部１５が受光しないような関係で配置すればよく、配置位置に制約はない。
【産業上の利用可能性】
【００７４】
以上のように、本発明の浴室暖房乾燥機は、磁石を必要とせず、磁石の取り付け間違いや、取り付け忘れによる風向ルーバー開閉状態の不検知によるやけど等の事故、および、水滴たまりによる、カビ、雑菌の繁殖を防止することができる。したがって、例えば、やけど等の事故防止が必要なサウナ装置、加湿装置、カビや雑菌の繁殖が影響する植物育成設備等への活用が期待される。
【符号の説明】
【００７５】
１    天井面
２    浴室暖房乾燥機
３    本体ケース
４    リモートコントローラー
５    通信ケーブル
６    吸込口
７    吹出口
８    循環風路
９    熱交換器
１０    循環用ファンモーター
１１    ステッピングモーター
１２    風向ルーバー
１３    電磁弁
１４    赤外線発光部
１５    赤外線受光部
１６    本体制御手段
１７    遮断突起
１８ａ，１８ｂ，１８ｃ，１８ｄ，１８ｅ，１８ｆ    風向整流板
１９    本体制御マイコン
２０    循環用ファンモーター駆動部
２１    熱交換器駆動部
２２    噴霧手段駆動部
２３    赤外線発光駆動部
２４    赤外線受光信号入力部
２５    風向ルーバー駆動部
２６    通信部
２７    リモコン制御手段
【図１】
0006620309.tif 000002
【図２】
0006620309.tif 000003
【図３】
0006620309.tif 000004
【図４】
0006620309.tif 000005
【図５】
0006620309.tif 000006